(57)【要約】      （修正有）【課題】多階層転送網におけるＦＡ−ＬＳＰに対する階層間ＴＥリンク資源管理方法を提供する。【解決手段】第１階層が第２階層に階層間呼設定を要請時、前記第２階層で前記第１階層の終端間経路に対して可用な接続経路を探索するステップと、前記終端間経路に対して可用な接続経路をＦＡ−ＬＳＰに設定するステップと、前記ＦＡ−ＬＳＰを前記第１階層に登録して前記終端間経路に対するＴＥ−リンクに設定するステップと、で構成する。【選択図】図１
2010148096.tif 000002
【特許請求の範囲】
【請求項１】
多階層ネットワークで、パケット交換処理、時分割交換処理及び光線路交換処理のうち、少なくとも一つの交換処理機能を含んで、複数の階層のうち、少なくとも一つの階層に対する信号を処理し、経路を設定する複数のノードを含み、
前記ノードは、階層別資源及びパケット転送を管理し、下位サーバ階層の経路をＴＥ（Traffic Engineering）−リンクとして管理し、経路設定要請に対応して、前記ＴＥリンク及び可用な接続経路探索を通じて前記要請された転送経路を設定する多階層ネットワーク。
【請求項２】
前記ノードは、下位サーバ階層の可用な接続経路であるＦＡ−ＬＳＰを前記ＴＥリンクとして登録し、持続的に管理するＬＭＰプロセスと、
前記ＴＥリンクに対するデータベース（ＴＥＤＢ）の状態及びルーティング経路を管理するルーティングプロセスと、
前記ＴＥＤＢ及びルーティング経路を利用して経路及び資源を探索し、前記クライアントの要請により転送経路を設定するシグナルプロセスとを含む請求項１に記載の多階層ネットワーク。
【請求項３】
前記ノードは、処理可能なすべての階層に対して、前記ＬＭＰプロセス、前記ルーティングプロセス及び前記シグナリングプロセスが備えられる請求項２に記載の多階層ネットワーク。
【請求項４】
前記ノードは、前記経路設定要請に対して、階層間呼設定フラグ（Inter layer call flag）を含むか否かに対応して、上位サーバ階層から受信された階層間呼設定要請か否かまたは該当階層のクライアントから受信された要請か否かを判断し、
階層間呼設定が完了するまで、階層間呼設定のためのすべてのシグナリングメッセージに前記階層間呼設定フラグ（Inter layer call flａg）が含まれるようにし、
前記階層間呼設定フラグが含まれた経路は、ＦＡ−ＬＳＰとして自動認識する請求項１に記載の多階層ネットワーク。
【請求項５】
多階層ネットワークの資源管理方法であって、
多階層ネットワークを構成するノードで、第１階層に経路設定要請が受信されれば、前記要請に対応して前記第１階層に対する可用な接続経路を探索するステップと、
可用な接続経路が存在しない場合、前記第１階層の下位サーバ階層である第２階層に階層間呼設定を要請するステップと、
前記第２階層から可用接続経路であるＦＡ−ＬＳＰが前記第１階層に登録されるステップと、
前記ＦＡ−ＬＳＰを前記第１階層のＴＥリンクとして管理し、前記ＴＥリンクを利用して前記要請に対する転送経路を設定して前記要請に応答するステップとを含む多階層ネットワークの資源管理方法。
【請求項６】
前記階層間呼設定要請ステップは、第１階層の終端対終端経路に対して、前記２階層で可用な接続経路を探索し、探索された経路を前記ＦＡ−ＬＳＰとして設定して前記第１階層として登録する請求項５に記載の多階層ネットワークの資源管理方法。
【請求項７】
前記第２階層で可用な接続経路が存在しない場合、前記第２階層の下位階層サーバに階層間呼設定を要請し、
前記第２階層に対する下位サーバ階層のＦＡ−ＬＳＰを前記第２ステップのＴＥリンクとして管理するステップをさらに含む請求項６に記載の多階層ネットワークの資源管理方法。
【請求項８】
前記１階層に受信された前記経路設定要請が前記第１階層の上位サーバ階層である第３階層からの階層間呼設定であると判断し、
前記第１階層において、前記第３階層の終端対終端経路に対して、可用な接続経路を探索して、探索された経路ＦＡ−ＬＳＰを前記第３階層として登録するステップをさらに含む請求項６に記載の多階層ネットワークの資源管理方法。
【請求項９】
前記受信された要請に階層間呼設定フラグ（Inter layer call Flag）が含まれる場合、階層間呼設定要請と判断し、
階層間呼設定が完了するまで、階層間呼設定に使用されるすべてのシグナリングメッセージに前記階層間呼設定フラグが含まれ、
前記階層間呼設定フラグが含まれた経路情報を自動的にＦＡ−ＬＳＰとして認識する請求項６又は８に記載の多階層ネットワークの資源管理方法。
【請求項１０】
経路解除要請の受信の際、割り当てられた帯域を返還し、解除要請された経路に対するＴＥリンクの帯域を調整し、
ＦＡ−ＬＳＰによる経路に対して、ＦＡ−ＬＳＰによるＴＥリンクの登録情報を削除し前記ＦＡ−ＬＳＰ経路を解除する請求項５に記載の多階層ネットワークの資源管理方法。
【発明の詳細な説明】
【技術分野】
【０００１】
本発明は、多階層転送網における資源管理方法に関し、特に上位階層で必要とする経路を動的に生成し、管理することで、ネットワーク資源、及び転送経路を効率の良く管理できる多階層転送網のＦＡ−ＬＳＰに対する階層間ＴＥリンク資源管理方法に関する。
【背景技術】
【０００２】
光、ＴＤＭ（Time Division Multiplexing）、イーサネット（登録商標）などの種々の階層の転送経路資源を同時に提供する多階層転送網は、サービスの速やかな適用及び転送資源の効率の良い制御のためにネットワーク資源管理及び転送経路管理を自動化するＧＭＰＬＳ（Generalized Multi Protocol Label Switching）プロトコルを適用して運用する趨勢である。
【０００３】
ＧＭＰＬＳ（Generalized Multi Protocol Label Switching）プロトコルは、光、ＴＤＭ、イーサネット（登録商標）、パケット等、相互転送特性が異なる多様な階層の資源に対して一般化して使用することができるプロトコルに標準化されたのであり、このような多様な階層のスイッチング経路が同一装備及び同一網で共に運用できるように、多階層及び多領域(Multi-layer/Multi-Region）に対する多くの要求事項及び標準化を進行している。
【０００４】
多階層及び多領域転送網において、特定のクライアント階層の終端対終端経路を設定するために、下位階層の転送資源を用いた下位サーバ階層転送経路を必要とすることができる。この際、上位クライアント階層のＧＭＰＬＳシグナリングは、下位サーバ階層ＧＭＰＬＳシグナリングでクライアント階層の転送経路のための資源としての下位サーバ階層転送経路設定を要求する。
【０００５】
このような同一装備内で同一なＧＭＰＬＳシグナリングプロセスの内部階層間に生成される呼（call）を階層間呼（Inter-layer call）とし、このような手順により生成された経路をＦＡ−ＬＳＰ（Forwarding Adjacency Label Swiching Path）とし、このようなＦＡ−ＬＳＰは上位階層には経路選択のために考慮することができる１つのデータリンクとして使用できるように、ＴＥリンクとして管理されなければならない。上位階層の要求による下位階層のＦＡ−ＬＳＰは運用者の手動設定により事前に生成されることができるが、多くの研究と標準化は階層間呼設定（Inter-layer call）の始まりを動的に自動化するトリガードシグナリング（triggered signaling）を指向している。しかしながら、現在はトリガードシグナリング（triggered signaling）に対する要求事項のみ存在している状況であり、これと関連した技術的な方案は提示されていない。
【発明の概要】
【発明が解決しようとする課題】
【０００６】
本発明の目的は、ＧＭＰＬＳプロトコルが運用される多階層／多領域転送網において、上位クライアント階層の要求によって動的に生成される下位サーバ階層のＦＡ−ＬＳＰを上位階層のＴＥリンクとして円滑に自動管理できるシグナリング手順上の技術的方案を用いて、階層間トリガードシグナリング（triggered signaling）による多階層転送網が自動化され、効率の良いネットワーク資源管理及び転送経路管理を現実化してネットワーク資源活用効率性を最大化する多階層転送網におけるＦＡ−ＬＳＰに対する階層間ＴＥリンク資源管理方法を提供することにある。
【課題を解決するための手段】
【０００７】
本発明は、第１階層及び第２階層に対する階層転送網の資源管理方法であって、前記第１階層が前記第２階層に階層間呼設定を要請時、前記第２階層で前記第１階層の終端間経路に対して可用な接続経路を探索するステップと、前記終端間経路に対して可用な接続経路をＦＡ−ＬＳＰに設定するステップと、前記ＦＡ−ＬＳＰを前記第１階層に登録して前記終端間経路に対するＴＥ（Traffic Engineering）−リンクに設定するステップと、を含むことを特徴とする。
【発明の効果】
【０００８】
本発明は、階層間呼処理手順が完了した後、生成されたＦＡ−ＬＳＰに対する階層別ＧＭＰＬＳシグナリング、ＬＭＰ、ルーティングプロセス内の処理方案を完成することによって、多階層転送資源に対する効率の良いネットワーク資源管理及び転送経路管理を現実化することによって、ネットワーク資源活用の効率性が最大化できるようにする。
【０００９】
また、本発明は、ＧＭＰＬＳプロトコルが運用される多階層及び多領域転送網において、階層別に必要な転送資源を必要な時点に階層間自動化された呼（call）要請を通じてＦＡ−ＬＳＰを設定し、これを上位階層のＴＥリンクとして自動化して管理できる機能を具現することによって、運用者の手動設定を必要としないことは勿論、多階層ネットワーク資源の各階層に対する事前割り当てを止揚することによって、高価の転送資源の損失を最小化することができる。
【図面の簡単な説明】
【００１０】
【図１】本発明に係る多階層ネットワークの構成を概念的に示す図である。
【図２】ＦＡ−ＬＳＰに対する概念図である。
【図３】ＧＭＰＬＳの伝達階層の構造が示された図である。
【図４ａ】単一階層に対するＧＭＰＬＳプロトコルの動作フローチャートである。
【図４ｂ】単一階層に対するＧＭＰＬＳプロトコルの動作フローチャートである。
【図５】多階層に対する階層間呼（call）が求められるＧＭＰＬＳプロトコルの動作フローチャートである。
【図６】多階層で階層間呼が求められないＧＭＰＬＳプロトコルの動作フローチャートである。
【図７】階層間呼（Inter-layer call）を処理する呼設定フローチャートである。
【図８】階層間呼（Inter-layer call）を処理する呼解除フローチャートである。
【発明を実施するための形態】
【００１１】
本発明は、多階層ネットワーク資源の使用効率性を最大化することに主眼点を置く。このために、本発明は上位クライアント階層の経路設定のために求められる下位サーバ階層の経路であるＦＡ−ＬＳＰ（Forwarding Adjacent-Label Switching Path）を上位クライアント階層で経路を選択する時に考慮できるようにし、ＴＥリンク（Traffic Engineering-link）にて管理できるようにする、自動化された登録手順及び解除手順について説明する。
【００１２】
図１は、本発明と関連した多階層ネットワークの構成を概念的に示す。
図１に図示された多階層ネットワークは、下位階層、中間階層、及び上位階層の３つの階層から構成される。
【００１３】
下位階層１  Ｌ１，Ｌ２は、最下位階層に該当し、一例として、ラムダ（Lambda）単位の転送資源を提供する光転送ネットワークに該当する。
【００１４】
中間階層２  Ｍ１，Ｍ２は、下位階層１  Ｌ１，Ｌ２に対する上位階層に該当し、一例として、ＴＤＭ（Synchronous Digital Hierarchy/Synchronous Optical Network）に従い、時分割単位の転送資源を提供するＴＤＭ転送ネットワークがこれに該当する。
【００１５】
上位階層３  Ｕ１，Ｕ２は、図示されたネットワークで最上位階層に該当し、一例として、ＰＢＢ−ＴＥやＭＰＬＳ−ＴＰのようなパケット転送資源を提供するパケット転送ネットワークがこれに該当する。下位階層、中間階層、及び上位階層の転送資源は、１つの装備に全て備えられることができ、場合によって一つの装備に一部階層の転送資源のみが備えられることができる。すなわち、下位階層、中間階層及び上位階層の転送資源がすべて備えられたノードが存在することができ、または上位階層と中間階層の転送資源の備えられたノードも存在しうる。下位階層、中間階層、及び上位階層でネットワークを構成する場合、このようなネットワークを多階層資源転送網４という。
【００１６】
多階層資源転送網４は、少なくとも一つのノードから構成される。このとき、各々のノードは、上述のように、上位階層、中間階層、下位階層のうち、少なくとも１つの階層に対する資源を管理するようになる。例えば、ノード１  ｎｏｄｅ１、ノード２  ｎｏｄｅ２、ノード３  ｎｏｄｅ３は、上位階層３、中間階層２、下位階層１のすべての階層に対して、その資源に対するスイッチング及び制御が可能である。また、ノード４  ｎｏｄｅ４は、上位階層、中間階層、下位階層のうち、中間階層２と下位階層１の資源に対するスイッチング及び制御機能を遂行する。ノード５  ｎｏｄｅ５は、下位階層１の資源に対するスイッチング及び制御機能を遂行することができる。
【００１７】
各ノードｎｏｄｅ１〜ｎｏｄｅ５は、下位階層１、中間階層２、及び上位階層３に対するスイッチング機能または、制御機能を備えることによって、隣接ノードと連結されたＴＥリンク資源を形成（８、９、１０）し、リンク資源を通じて各階層で求められるサービスのための転送経路を提供したり、上位階層の転送経路のためのデータ資源に割り当てられることができる。
【００１８】
図２は、ＦＡ−ＬＳＰに対する概念図を示す。
ＬＳＰ（Label Switching Path）は、ＦＡ−ＬＳＰ及びユーザ用ＬＳＰに大別され、図２は転送サービスのためのユーザ用ＬＳＰを示す。下位階層１の資源としてノード１  ｎｏｄｅ１のＬ１、ノード２のＬ２、ノード３のＬ３、及びノード４  ｎｏｄｅ４のＬ４は、下位階層１の資源（resource）を示し、ノード１のＭ１、ノード３のＭ３、ノード２のＭ２は、中間階層２の資源を示し、ノード１のＵ１、ノード２のＵ２及びノード３のＵ３は、上位階層３の資源を示す。
【００１９】
図２に示したように、下位階層の資源であるＬ１とＬ４のＴＥ（Traffic Engineering）−リンク１１０、Ｌ４とＬ３のＴＥリンク１２０、Ｌ３とＬ２のＴＥリンク資源１３０を経路として選択して、下位階層１に対する転送経路１４０を設定することができる。。例えば、下位階層転送経路１４０は、ファイバ（Fiber）転送経路（Fiber transport path）であり、ファイバ（Fiber）単位の専用線サービスに提供することができる。、中間階層の経路１５０は、例えばラムダ（Lambda）転送経路（Lambda transport path）であって、ラムダ（Lambda）単位の専用線サービスを提供することができる。
【００２０】
中間階層の転送経路１５０はＭ１とＭ３との間のＴＥリンク１７０、及びＭ３とＭ２との間ＴＥリンク１９０を選択して設定されることができる。
【００２１】
Ｍ１とＭ３との間の中間階層２のＴＥリンク１７０が予め設定されていないとか、設定に必要な帯域が足りないと、Ｍ１とＭ３との間のＴＥリンク１７０はまた中間階層２に対する下位のサーバ階層である下位階層１でＬ１とＬ４との間のＴＥリンク１５０、及びＬ４とＬ３との間のＴＥリンク１６０から構成された下位階層の経路設定Ｌ１〜Ｌ３により形成されることができる。それにより、Ｍ１とＭ３との間のＴＥリンク１７０は、Ｍ１−Ｌ１−Ｌ４−Ｍ３の経路の組合せで提供される。
【００２２】
中間階層２のために設定された下位サーバに対する下位階層１の経路１５０、１６０は、上位クライアントが位置する中間階層２のＴＥリンクとして管理されて、中間階層の転送経路設定過程で選択されることができる。
【００２３】
クライアント用ＬＳＰは、上位階層の転送経路２００、例えば、ＰＴＬ（Packet Transport Layer）の一種であるＰＢＢ−ＴＥ転送経路の１つであって（PLT transport path）、イーサネット（登録商標）のためのＶＰＮサービスなどを提供することができる。上位階層の転送経路２００はＵ１とＵ２との間のＴＥリンク２６０を選択して提供されることができる。
【００２４】
このとき、Ｕ１とＵ２との間のＵ階層のＴＥリンク２６０が予め設定されていないとか、ＴＥリンクの設定に必要な帯域が足りない場合、Ｕ１とＵ２との間のＴＥリンクは、上位階層３に対する下位のサーバ階層である中間階層２のＭ１とＭ３との間のＴＥリンク２３０、及びＭ３とＭ２との間のＴＥリンク２５０から構成されたＭ１からＭ２までの中間階層経路設定により提供される。
【００２５】
即ち、Ｕ１とＵ２に対して再設定される経路は、Ｍ１、Ｍ３、及びＭ２の順に連結される経路を通じて取り替えることができる。
【００２６】
このように設定された下位サーバによる中間階層２の経路２３０、２５０は、上位クライアントが属する上位階層３のＴＥリンクとして管理されて上位階層３の転送経路設定過程で選択されることができる。即ち、多階層転送網でＧＭＰＬＳ（General Multi-Protocol Label Switching）シグナリングプロトコルにより生成される経路（ＬＳＰ）は純粋にユーザサービスのためのＬＳＰ１４０、１５０、及び２００が存在する。
【００２７】
ここで、ユーザサービスのためのＬＳＰのうち、下位階層１のＬＳＰ１４０は、下位階層１の資源間の経路、Ｌ１とＬ４  １１０、Ｌ４とＬ３  １２０、Ｌ３とＬ２  １３０に対するＬＳＰがＴＥリンクを通じて設定され、中間階層２のＬＳＰ１５０は、中間階層２の資源間の経路、Ｍ１とＭ３  １７０、Ｍ３とＭ２  １９０に該当するＬＳＰがＴＥリンクを通じて設定され、上位階層３のＬＳＰ２００はＵ１とＵ２  ２６０に該当するＬＳＰがＴＥリンクを通じて設定される。
【００２８】
この際、上位階層の経路設定のために必要なＴＥリンク資源には、下位階層１の任意区間に設定された送信経路であるＬ１とＬ４のＬＳＰ１５０、Ｌ４とＬ３のＬＳＰ１６０を通じて形成された中間階層２のＭ１とＭ３のＦＡ−ＬＳＰ１７０、下位階層１のＬ３とＬ２との間のＬＳＰ１８０から形成されたＭ３とＭ２のＦＡ−ＬＳＰ１９０、Ｌ１とＬ４のＬＳＰ２１０とＬ４とＬ３のＬＳＰ２２０から形成されたＭ１とＭ３のＦＡ−ＬＳＰ２３０、Ｌ３とＬ２のＬＳＰ２４０から形成されたＭ３とＭ２のＦＡ−ＬＳＰ２５０、そしてＭ１とＭ３のＬＳＰ２３０とＭ３とＭ２のＬＳＰ２５０から形成されたＵ１とＵ２のＦＡ−ＬＳＰ２６０が存在する。
【００２９】
図３は、伝達階層の構造が示された図である。
ＧＭＰＬＳは、パケットに対するスイッチングの他に、タイムスロット、波長、物理的ポート及び光スイッチングも一つのＬＳＰが支援する。このようなＧＭＰＬＳで伝達階層は、図３に示したように、ファイバ（Fiber）、ラムダ（Lambda）、ＰＴＬ経路、パケット基盤に区分されることができる。
【００３０】
ファイバ転送経路は、ファイバ５０単位の専用線サービスを提供することのできるものであって、ファイバ基盤のＦＳＣ（Fiber Switch Capability）は、物理的空間の位置を基盤にデータを伝達する。また、ラムダ送信経路は、ラムダ５１、５２単位の専用線サービスを提供することができ、ラムダ基盤のＬＳＣ（Lambda Switch Capability）は、波長基盤にデータを伝達する。
【００３１】
１つのファイバ５０は、複数のラムダ５１、５２を収容し、一つのラムダは、再度複数のＰＴＬ（Packet Transport Layer）経路５３を収容し、一つのＰＴＬ経路は、再度複数のパケットフロー５４を収容することができる。パケットフローは、ＶｏＩＰフロー５４−１、ＩＰＴＶフロー５４−２、インターネットフロー５４−３等のサービスフローに区分される。
【００３２】
図４は、単一階層に対するＧＭＰＬＳプロトコルの動作フローチャートである。
図４に示すように、ＧＭＰＬＳプロトコルは、大別してシグナリング（Signaling）、ルーティング（Routing）及びＬＭＰ（Link Management Protocol）プロセスから構成される。
【００３３】
各ノードは、光資源管理部６０、パケット転送管理部７０、及びメイン制御部８０から構成される。ＧＭＰＬＳ  Ｔ上のノードは、前記のようなプロトコルを利用したデータ処理を行うので、上位階層、中間階層、下位階層に対して、各階層毎にシグナリング、ルーティング及びＬＭＰプロセスから構成される。
【００３４】
光資源管理部６０は、ルーティング、ＬＭＰプロセスを遂行して、資源及び経路を管理し、パケット転送管理部７０は、シグナリングプロセスを遂行して、他のノードとの信号、データ送受信を処理する。メイン制御部８０ノードの動作全般を制御する。
【００３５】
ＧＭＰＬＳプロトコルを運用するネットワークは、経路を設定するためのネットワーク資源をＴＥリンクにより管理する。例えば、ノード１  ｎｏｄｅ１とノード２  ｎｏｄｅ２との間の資源は、ＴＥリンクとして管理される（２７０）。２つのノード間のＩＤ確認及びリンクの属性の確認、連結性の確認はＬＭＰプロセスを通じて遂行される。経路のためのＴＥリンクに使われることに決定されたデータリンクは、ルーティングプロセスに伝達されて、経路選択時に使われるＴＥＤＢ（Traffic Engineering Database）情報として活用される（２８１、２８２）。
【００３６】
クライアントから経路要請が受信されれば（２９０）、シグナリングプロセスはルーティング（Routing）プロセスが収集したネットワークルーティング情報やＴＥＤＢ情報を用いて要請した、発信から着信までの経路を設定する資源が可用か否か、及びルーティング経路が存在するか否かを確認する（３００）。
【００３７】
経路が存在すれば、即ち存在するＴＥリンクを選択して経路を形成できれば、ＲＳＶＰ−ＴＥのようなシグナリングプロトコルを用いて発信から着信までのＬＳＰ経路を設定する（３１０）。経路設定が完了すれば、完了した結果を経路要請したクライアントに要請に対する応答として応答し（３２０）、経路設定手順を終了する。
【００３８】
図５は、多階層に対する階層間呼（call）が求められるＧＭＰＬＳプロトコルの動作フローチャートである。
図５に示すように、中間階層２，Ｍのユーザから経路設定要請がノード１  ｎｏｄｅ１に受信すれば（３３０）、中間階層のシグナリング（Signaling）プロセスは中間階層のルーティング（Routing）プロセスが構築した中間階層ネットワークルーティング情報、またはＴＥＤＢ情報を用いて、ユーザから要請された発信から着信までの経路を設定するための資源が可用か否か、及びルーティング経路が存在するか否かを確認する。仮に、経路が存在しない場合（３４０）、中間階層２に対して下位のサーバ階層である下位階層１に中間階層２の経路設定のためのＦＡ−ＬＳＰ設定を要請する階層間呼（Inter-layer call）設定を要請する（３５０）。この際、経路設定要請には階層間呼要請であることを表す階層間呼要請フラグ（Inter-layer call flag）を設定する。
【００３９】
上位のクライアント階層から経路要請を受信した下位階層１のシグナリング（Signaling）プロセスは、クライアントの要請を処理できる下位階層経路設定のための資源が可用か否か、及びルーティング経路が存在するか否かを下位階層のルーティング（Routing）プロセスが構築した下位階層ルーティング情報、またはＴＥＤＢを検索して判断する（３６０）。
【００４０】
仮に、経路が存在する場合、ＲＳＶＯＰ−ＴＥやＣＲ−ＬＤＰのようなシグナリング（Signaling）プロトコルを用いて下位階層の経路を設定する（３７１、３７２）。ノード１とノード２は、下位階層２Ｌ間にノード３を通じた経路が設定されているので、Ｌ１のシグナリングプロセスは、Ｌ３で下位階層の経路を設定し（３７１）、Ｌ３はＬ２で下位階層の経路を設定する（３７２）。
【００４１】
この際、階層間呼要請によって始まったシグナリングメッセージには必ず階層間呼要請フラグ（Inter-layer call flag）が設定されなければならない。すなわち、Ｍ１のシグナリングプロセッサにおいてＬ１のシグナリングプロセッサで階層間呼要請によりノード１、ノード３、ノード２の下位階層１、Ｌの経路設定が行われるので、Ｌ１とＬ３、Ｌ３とＬ２との間のシグナリングメッセージにも階層間呼要請フラグ（Inter-layer call flag）が含まれる。
【００４２】
呼設定が完了した後、Ｌ１のシグナリング（Signaling）プロセスは、設定されたＬＳＰが階層間呼（call）要請によって設定されたＦＡ−ＬＳＰであることを確認し、上位クライアント階層である中間階層２ＭのＭ１のＬＭＰプロセスに新たなＴＥリンクの生成内容を登録する（３８１）。
【００４３】
これと共に、着信側であるＬ２のシグナリング（Signaling）プロセスも下位階層のシグナリング（Signaling）プロトコル内に含まれた階層間呼要請フラグ（inter-layer call flag）を確認して処理することによって、該当経路の要請が階層間呼要請により設定されたＦＡ−ＬＳＰであることを確信することができ、経路設定が完了した後、運用者の介入無しで自動に上位階層である中間階層のＭ２のＬＭＰプロセスに新たなＴＥリンクの生成内容を登録する（３８２）。
【００４４】
新しく生成されたＦＡ−ＬＳＰが上位の中間階層２であるＭ１とＭ２に備えられたそれぞれのＬＭＰプロセスにＴＥリンクとして登録された後（３８１、３８２）、中間階層２、Ｍ１、Ｍ２のＬＭＰプロセスは該当ＴＥリンクに対してリンク管理機能を遂行し（３９０）、その結果として確認されたＴＥリンク情報を各々中間階層Ｍ１、Ｍ２のルーティングプロセスに報告して、中間階層のルーティング情報またはＴＥＤＢ情報に反映できるようにする（４０１、４０２）。
【００４５】
階層間呼要請を完了した下位階層Ｌ１のシグナリング（Signaling）プロセスは、結果を上位クライアント階層である中間階層Ｍ１のシグナリング（Signaling）プロセスに報告する（４１０）。中間階層Ｍ１のシグナリング（Signaling）プロセスは、また中間階層Ｍ１のルーティング（Routing）プロセスのルーティング情報やＴＥＤＢ情報を用いて中間階層Ｍ１の経路設定のための資源が可用か否か、ルーティング経路が存在するか否かを確認する（４２０）。
【００４６】
経路が可用の場合、ＲＳＶＰ−ＴＥのようなシグナリングプロトコルを用いて中間階層の経路設定を完了した後（４３０）、その結果を最初中間階層経路設定を要請したクライアントに通報する（４４０）。
【００４７】
図６は、多階層で階層間呼が求められないＧＭＰＬＳプロトコルの動作フローチャートを示す。
図６に示すように、図５で説明した、階層間呼要請過程を通じて設定されたＦＡ−ＬＳＰのＴＥリンクは、持続的に中間階層２、Ｍ１、Ｍ２のＬＭＰプロセスにより管理され（４５０）、中間階層のルーティング（Routing）プロセスにより状態が管理される（４５１、４５２）。
【００４８】
中間階層のクライアントから経路設定要請を受信すれば（４６０）、中間階層Ｍ１のシグナリング（Signaling）プロセスは中間階層Ｍ１のルーティング（Routing）プロセスが構築した中間階層ネットワークルーティング情報またはＴＥＤＢ情報を用いて要請された発信から着信までの経路を設定するための資源が可用か否か、及びルーティング経路が存在するか否かを確認する（４７０）。図５の階層間呼要請過程を通じて設定されたＦＡ−ＬＳＰのＴＥリンクが可用であるという前提下で経路が存在する場合、ＲＳＶＰ−ＴＥのようなシグナリングプロトコルを用いてノード１  ｎｏｄｅ１からノード２  ｎｏｄｅ２への中間階層の経路設定を完了した後（４８０）、その結果を経路設定を要請したユーザに通報する（４９０）。
【００４９】
図７は、階層間呼（Inter-layer call）を処理する呼設定フローチャートである。経路設定を要請するシグナリングメッセージを受信すれば（Ｓ５１０）、まずシグナリングメッセージ内の階層間呼設定フラグ（Inter-layer call flag）情報が含まれたか否かを確認する（Ｓ５２０）。
【００５０】
階層間呼設定フラグが含まれない場合、すなわち階層間呼要請による経路要請でない場合、クライアントから要請された呼の場合（Ｓ５３０）、シグナリングプロセスは、要請された発信から着信までのルーティング経路を検索し、資源が可用か否かをルーティング情報またはＴＥＤＢから検索する（Ｓ６００）。経路が存在する場合（Ｓ６１０）、シグナリングプロセスは、該当階層に対する経路設定過程をシグナリングを通じて続けて遂行（Ｓ６２０）し、使われたＴＥリンクに経路設定により変更された帯域情報を反映し（Ｓ６３０）、結果を要請した側へ返還する（Ｓ６４０）。発信から着信までのルーティング経路検索に失敗したり、経路を設定するための資源が可用でない場合（Ｓ６１０）、シグナリングプロセスは、必要な資源に該当する下位階層区間を確認して（Ｓ６５０）階層間呼設定フラブ（Inter-layercallflag）情報を含めて下位階層に経路設定を要請する（Ｓ６６０）。
【００５１】
階層間呼設定要請に対する応答として、下位階層からＬＭＰプロセスで新しいＴＥリンクの生成内容が登録され、階層間呼要請に対する結果が受信されれば、ＬＭＰプロセスは該当ＴＥリンクに対してリンク管理機能を遂行し、その結果として確認されたＴＥリンク情報をルーティング（Routing）プロセスに報告して中間階層のルーティング情報またはＴＥＤＢ情報に反映されうるようにする。
【００５２】
シグナリング（Signaling）プロセスは、ルーティング（Routing）プロセスのルーティング情報やＴＥＤＢ情報を利用して、中間階層Ｍ１の経路設定のための資源が可用か否か、ルーティング経路が存在するか否かを確認し、シグナリングプロトコルを利用して中間階層の経路設定を完了した後、その結果を経路設定を要請したクライアントに通報する。
【００５３】
一方、受信された経路設定要請が、クライアントの経路設定要請ではない、階層間呼設定要請である場合（Ｓ５３０）、ルーティング情報及びＴＥＤＢを参照して、要請に対するルーティング経路が存在するか否か及び資源が可用か否かを検索する（Ｓ５４０、Ｓ５５０）。
【００５４】
ルーティング経路が存在しないとか、資源が可用でない場合、必要な資源を得るための経路を設定するために、次下位サーバ階層の経路設定要請過程を再帰跡（recursive）に進行する（Ｓ６５０）。階層間呼設定フラグ（Inter-layer call flag）が設定された経路要請に対してルーティング経路と可用資源が存在する場合、要求階層の要求区間の着信との経路設定過程を遂行する（Ｓ５６０）。
【００５５】
ここで、経路設定過程は、該当経路設定処理手順が階層間呼要請による経路設定手順であることを表す階層間呼設定フラグ（Inter-layer call flag）情報を含めなければならない。経路設定完了の後、下位階層のシグナリング（Signaling）プロセスは設定されたＦＡ−ＬＳＰを上位階層のＬＭＰプロセスにＴＥリンクとして登録する（Ｓ５７０）。上位階層のＬＭＰは該当ＦＡ−ＬＳＰ情報と関連するその他の情報を受信して、上位階層のためのＴＥリンクとしてリンク管理及び状態管理を遂行する（Ｓ５８０）。ＬＭＰプロセスにより検証されたＴＥリンクは、ルーティング（Routing）プロセスによりルーティング情報として構築される（Ｓ５９０）。
【００５６】
シグナリングプロセスは、要請された発信から着信までのルーティング経路を検索し、資源が可用か否かをルーティング情報またはＴＥＤＢから検索し（Ｓ６００）、検索結果によってシグナリングプロセスは、該当階層に対する経路設定過程をシグナリングプロトコルを通じて遂行しつづけ（Ｓ６２０）、使われたＴＥリンクに経路設定を通じて変更された帯域情報を反映し（Ｓ６３０）、結果を要請した側へ返還する（Ｓ６４０）。
【００５７】
図８は、階層間呼（Inter-layer call）を処理する呼解除フローチャートである。経路解除を要請するシグナリングメッセージが受信されれば（Ｓ７００）、経路解除要請に対して経路解除処理過程を遂行する（Ｓ７２０）。経路解除要請によって該当経路に割り当てられた帯域を返還し、該当経路に設定されたＴＥリンクの関連情報も修正する（Ｓ７３０）。
【００５８】
また、該当経路がＴＥリンクに設定された最後の経路であったか否かを確認する（Ｓ７４０）。最後の経路でなく、残っている経路が存在する場合、結果を返還し、終了する（Ｓ７５０）。上位階層から中間階層へ向かう経路に対して解除要請が発生する際、中間階層に設定されたＦＡ−ＬＳＰ経路を解除する。仮に、該当ＴＥリンクの最後の経路であったら（Ｓ７５０）、該当ＴＥリンクがＦＡ−ＬＳＰにより動的に生成されたＴＥリンクであるか否かをＴＥリンク情報を通じて確認する（Ｓ７６０）。ＦＡ−ＬＳＰにより動的に生成されたリンクでない場合、結果を返還し終了する（Ｓ８００）。解除対象呼（call）がＦＡ−ＬＳＰに対して動的に生成されたＴＥリンクの最後の呼（call）である場合、ＬＭＰプロセスは該当ＴＥリンク登録情報をＬＭＰ管理テーブルから削除する（Ｓ７７０）。またルーティング（Routing）プロセスは削除されたＴＥリンクに従ってルーティング情報を変更する（Ｓ７８０）。シグナリング（Signaling）プロセスは下位サーバ階層のシグナリング（Signaling）プロセスに削除されたＴＥリンクに該当するＦＡ−ＬＳＰを解除要請する（Ｓ７９０）。このとき、下位サーバ階層のシグナリングプロセスは、該当階層でのすべての経路が削除されれば、上位サーバ階層の要請に応じて該当経路のＦＡ−ＬＳＰを削除する。
【００５９】
上位クライアント階層のＳｉｇｎａｌｉｎｇ／Ｒｏｕｔｉｎｇ／ＬＭＰプロセスと下位サーバ階層のＳｉｇｎａｌｉｎｇ／Ｒｏｕｔｉｎｇ／ＬＭＰプロセスは必らず物理的や具現的に分離される必要はないし、単に処理階層の差だけを論理的に表現するためのものである。
【００６０】
以上、本発明の好ましい実施形態について図示及び説明したが、本発明は前述した特定の実施形態に限定されず、請求範囲で請求する本発明の要旨を逸脱することなく、当該発明が属する技術分野で通常の知識を有する者により多様な変形実施が可能であることは勿論であり、このような変形実施は本発明の技術的思想や展望から個別的に理解されてはならないものである。
【産業上の利用可能性】
【００６１】
以上の手順によると、ＧＭＰＬＳプロトコルが運用される多階層／多領域転送網において、上位クライアント階層の終端対終端経路設定要求に必要なデータリンク資源として下位サーバ階層の経路設定が求められる階層間呼処理手順で生成されたＦＡ−ＬＳＰを上位クライアント階層の両方のＬＭＰプロセスがＴＥリンクとして識別し受信して、上位クライアント階層のための資源として管理し、ルーティング情報として活用する過程を自動化できるようにする技術的方案を設けることができる。したがって、階層間呼処理手順が完了した後、生成されたＦＡ−ＬＳＰに対する階層別ＧＭＰＬＳシグナリング、ＬＭＰ、ルーティングプロセス内の処理方案を完成することによって、多階層転送資源に対する効率的ネットワーク資源管理及び転送経路管理が遂行できる現実的方案を提示することができる。
【図１】
2010148096.tif 000003
【図２】
2010148096.tif 000004
【図３】
2010148096.tif 000005
【図４ａ】
2010148096.tif 000006
【図４ｂ】
2010148096.tif 000007
【図５】
2010148096.tif 000008
【図６】
2010148096.tif 000009
【図７】
2010148096.tif 000010
【図８】
2010148096.tif 000011